(57)【要約】【課題】安価で提供することができ、工具なしで短時間に分解可能な組立式プールで水の浄化が円滑に行える幼児用又は園児用プールを提供する。【解決手段】プールの側板として金属薄板を用い、金属薄板の上部を複数の上部金属フレームの溝部に挿入し、金属薄板の下部をビニールシートとともに複数の下部金属フレームの下部の溝部に挿入して円形のプールを構成している。上部金属フレームと下部金属フレームとは支持金具を用いて固定ワンタッチ金具で固定することで、堅牢なプールとしている。ワンタッチ金具を用いることで工具なしでに短時間に組立と分解が可能で、収納もコンパクトとなる円形プールを実現する。【選択図】図１（ｃ）
2014218881.tif 000002
【特許請求の範囲】
【請求項１】
金属薄板と上記金属薄板の上部に配置された複数の上部フレームと上記金属薄板の下部に配置された複数の下部フレームとビニールシートからなる分解可能な円形の組立式プールにおいて、複数の上部フレームおよび下部フレームのそれぞれを隣接フレーム結合金具で結合する手段と上部フレームと下部フレームを支持金具で結合する手段を有することを特徴とする分解可能な組立式円形プール。
【請求項２】
上記上部フレームおよび下部フレームを複数の上部金属フレームと複数の下部金属フレームに分割すること特徴とする特許請求項１に記載の分解可能な組立式円形プール。
【請求項３】
隣接する上記上部金属フレームの結合をワンタッ式金具で行うことを特徴とする特許請求項１に記載の分解可能な組立式円形プール。
【請求項４】
隣接する上記上下部金属フレームの結合をワンタッ式金具で行うことを特徴とする特許請求項１に記載の分解可能な組立式円形プール。
【請求項５】
上記上部金属フレームおよび上記下部金属フレームと支持フレームをワンタッ式金具で行うことを特徴とする特許請求項１に記載の分解可能な組立式円形プール。
【請求項６】
上記下部フレームに上記金属薄板およびプラスチックシートを固定するための溝を形成した特許請求項１に記載の分解可能な組立式円形プール。
【請求項７】
上記上部部フレームに上記金属薄板を固定するための溝を形成した特許請求項１に記載の分解可能な組立式円形プール。
【請求項８】
上記金属薄板の上部と下部にゴムパッキンを形成した特許請求項１に記載の分解可能な組立式円形プール。
【請求項５】
上記上部フレームおよび上記下部フレームに形成された上記溝にゴムパッキンを挿入した特許請求項１に記載の分解可能な組立式円形プール。
【発明の詳細な説明】
【技術分野】
【０００１】本発明は、上部フレームおよび下部フレームを複数の上部金属フレームおよび下部金属フレームに分割し、円弧を形成するように加工した複数の上部金属フレームおよび下部金属フレームに設けられた溝に金属薄板およびビニールシートを挿入し、複数の上部金属フレームおよび下部金属フレームを複数の支持金具で連結した分解可能な組立式円形プールに関するものである。
【背景技術】
【０００２】上記分解可能な組立式プールは、夏季の限られた期間だけ使用するために用いられるもので、従来、次のように構成されたものがある。【０００３】特許文献１には、繊維強化樹脂製を用いて矩形上に形成された分解可能で組立式のプールが開示されている。しかし、構成が複雑で高価である。また、接着材を用いているため分解や組立に多大な時間を要し、分解して収納するにあたってもコンパクトに収納できない。加えて、ポンプを用いて水を循環させて水を浄化するに際しては、矩形状であるためコーナ部では水の循環がスムースではない。
【先行技術文献】
【特許文献】
【０００４】
【特許文献１】  特許第３３４０６１６号公報
【発明の概要】
【発明が解決しようとする課題】
【０００５】本発明は、上記に鑑み、安価、堅牢で分解と組立が短時間で行え、コンパクトに収納できる清潔なプールを提供することを目的とするものである。
【課題を解決するための手段】
【０００６】本発明では、上部フレームおよび下部フレームを複数の上部金属フレームおよび下部金属フレームに分割する。複数の下部金属フレームにはそれぞれが円弧の一部となるように曲げ加工を施し、隣接する下部金属フレームを結合金具で固定している。円形に組み立てた上記下部フレームの上にビニールシートかぶせた後、下部金属フレームの溝に自由に曲げることのできる金属薄板およびビニールシートを円周に沿って挿入する。金属薄板の上部を上部金属フレームの溝に挿入した後、隣接する上部金属フレームを連結することで円形のプールとしている。上部金属フレームと下部金属フレームは支持フレームで支持することで堅牢な構成としている。上部金属フレームと支持金具および下部金属フレームと支持金具の結合は結合金具で固定されることが好ましい。また、下部金属フレームの溝にはゴムパッキンを挿入することで漏水を防ぐことが好ましい。【０００７】結合金具は、工具なしでの組立を可能にするため、ワンタッチ式金具を用いることが好ましく、ビニールシートは防水性や耐摩耗性の観点から内部にナイロン等の繊維を含む塩化ビニールを用いることが好ましい。
【発明の効果】
【０００８】本発明の分解可能で組立式円形プールは、組立および分解を短時間で行うことができ、分解後もコンパクトに収納することが可能である。金属薄板円形であるため浄化ポンプを用いて水全体をクリーンに保つことができ、構成が簡単なため安価にできる。
【図面の簡単な説明】
【図１（ａ）】プール全体を示した平面図である。
【図１（ｂ）】プール全体を示した側面図である。
【図１（ｃ）】プール全体を示した斜視図である。
【図２（ａ）】上部金属フレームの構造を示した平面図である。
【図２（ｂ）】上部金属フレームの構造を示した側面図である。
【図２（ｃ）】上部金属フレームの断面図である。
【図３（ａ）】下部金属フレームの構造を示した平面図である。
【図３（ｂ）】下部金属フレームの構造を示した側面図である。
【図３（ｃ）】下部金属フレームの断面図である。
【図４】支持フレームの構造を示した平面図である。
【図５】上部フレームに金属薄板を挿入した組立図である。
【図６】下部フレームに金属薄板、ビニールシートを挿入した組立図である。
【図７】金属薄板端部を固定するための組立図である
【図８】上部フレーム、下部フレーム、支持フレームを結合するためのキャッチクリップの平面図である、
【発明を実施するための形態】
【０００９】以下、本発明を詳細に説明する。本発明では、プールの側壁を構成する金属薄板の上部を上部フレームに設けた溝部に挿入し、金属薄板の下部をビニールシートとともに下部フレームに設けた溝部に挿入することで円形プールを形成するものである。上記金属フレームは収納スペースを削減するため複数に分割されている。
【００１０】図１（ｃ）に示す円形プールにおいて、上部フレーム１および下部フレーム２は１２個の上部金属フレーム１ａおよび１２個の下部金属フレーム２ａに分割されている。図１（ａ）に示すように、上記金属フレーム１ａおよび上記金属フレーム２ａは連結結合した時に円となるよう曲げ加工されている。図１（ｂ）において、１２個の上記上部金属フレーム１ａおよび１２個の上記下部金属フレーム２ａは支持フレーム４で固定している。１２個の隣接する上記上部金属フレーム１ａおよび１２個の隣接する上記下部金属フレーム２ａはワンタッチ金具５で結合されており、１２個の上記上部金属フレーム１ａと支持フレーム４および１２個の隣接する上記下部金属フレーム２ａと支持フレーム４はワンタッチ金具５で結合されている。図１（ｂ）において、プールの側壁を構成するための金属薄板３の上部には上部金属フレーム１ａが上記金属薄板３の下部には下部金属フレーム２ａが配置されている。
【００１１】図２（ａ）において、上記上部金属フレーム１ａの端面に結合ピン６が挿入されており、隣接する上記上部金属フレーム１ａとは結合ピン６で連結する。図５に示すように、結合ピン６は上記上部金属フレーム１に設けられた穴２１に挿入している。上部金属フレーム１ａには、図２（ｂ）に示すワンタッチ金具本体５ａとワンタッチ金具受座５ｂが取り付けられている。図２（ｂ）に示すワンタッチ金具５ａおよび５ｂは隣接する上記金属フレーム１ａのワンタッチ金具５ｂおよび５ａとそれぞれ結合する。
【００１２】図３（ａ）において、上記下部金属フレーム１ａの端面に結合ピン６が挿入されており、隣接する上記下部金属フレーム１ａとは結合ピン６で連結する。図６に示すように、結合ピン６は上記下部金属フレーム２ａに設けられた穴２１に挿入している。上記下部金属フレーム２ａには、図３（ｂ）に示すワンタッチ金具本体５ａとワンタッチ金具受座５ｂが取り付けられている。図３（ｂ）に示すワンタッチ金具５ａおよび５ｂは隣接する上記金属フレーム１ａのワンタッチ金具５ｂおよび５ａとそれぞれ結合する。
【００１３】図４において、支持フレーム４は上記上部金属フレーム１ａおよび上記下部金属フレーム２ａと結合ピン６で連結し、支持フレーム４に設けられたワンタッチ金具５ｂは図２（ｂ）に示す上記上部金属フレーム１ａのワンタッチ金具５ａおよび図３（ｂ）に示す上記下部金属フレーム２ａのワンタッチ金具５ａと結合させて固定する。
【００１４】図５は、上記上部金属フレーム１ａに上記金属薄板３を挿入した状態を示す図で、溝部１３および溝部１４が設けられている。溝部１３には、ゴムパッキン９をその上部に貼り付けた上記金属薄板３を挿入する。ゴムパッキン９は上記金属薄板を上記上部金属フレーム１ａに挿入する際に負傷することを防いでいる。溝部１４は、ワンタッチ金具５（ａ）および５（ｂ）を固定するために用いることができる。
【００１５】図６は、上記下部フレーム２ａに上記金属薄板３を挿入した状態を示す図で、溝部１１および溝部１２が設けられている。溝部１１には、ゴムパッキン９をその下部に貼り付けた上記金属薄板３およびビニールシート８が挿入されている。上記ゴムパッキン９は、金属薄板３とビニールシート８が蜜に接触しビニールシート８が破損することを防いでいる。同時に、金属薄板３とビニールシート８を蜜に接触させることで漏水を防ぐ役割を果たしている。ゴムパッキン１０は上記ビニールシート８および上記金属薄板３の内部に貯えた水が外部に漏れるのを防ぐために、上記下部金属フレーム２ａの溝部１１の上部壁面２２の間に挿入されている。
【００１６】図７は、端面１６を持つ金属薄板３および端面１７を持つ金属薄板３の間に漏水防止用のパッキン１８を挿入し、金属板１５で金属薄板３およびシリコンゴムパッキン１８を挟みこんだ後、ボルト１９とナット２０で固定している。これにより金属薄板３は円形になり、固定部での漏水を防いでいる。金属薄板３は収納時にはコンパクトに巻き取ることが可能で、組立時には滑らかな円形となる。
【００１７】図８は、ワンタッチ金具５の受座５ａと本体５ｂを示したものである。
【００１８】上記金属薄板３は耐水性の面からステンレス素材を用いるのが望ましく、上記上部フレーム１、上記下部フレーム２および上記支持フレーム４は耐水性や可搬性のためアルミ素材を用いることが望ましい。ビニールシート８は防水性や耐摩耗性の観点からナイロン等の繊維を挟みこんだ塩化ビニール素材が適している。塩化ビニール素材は、熱溶着により接合することが可能で、大きなプールも構成することができる。
【００１９】上記金属薄板３の高さを変えることで、自由な水深のプールを構成することが可能となる。また、上記上部アルミフレーム１、上記下部フレームの長さや個数を変えることにより、自由な大きさのプールとすることが可能である。
【産業上の利用可能性】
【００２０】本発明による分解可能で組立式の円形プールは、保育園や幼稚園での活用に最適であり、遊園地や公園等の野外での利用にも適している。
【符号の説明】１    上部フレーム
２    下部フレーム
３    金属薄板
４    支持フレーム
５    キャッチクリップ
５ａ  キャッチクリップ座金
５ｂ  キャッチクリップ本体
６    ピン
８    ビニールシート
９    ゴム
１０  ゴムパッキン
１１、１２、１３、１５  溝部
１５  金属平板
１６、１７  金属薄板の端部
１８  シリコンゴムパッキン
１９  ボルト
２０  ナット
２１  穴
２２  穴の壁面
【図１（ａ）】
2014218881.tif 000003
【図１（ｂ）】
2014218881.tif 000004
【図１（ｃ）】
2014218881.tif 000005
【図２（ａ）】
2014218881.tif 000006
【図２（ｂ）】
2014218881.tif 000007
【図２（ｃ）】
2014218881.tif 000008
【図３（ａ）】
2014218881.tif 000009
【図３（ｂ）】
2014218881.tif 000010
【図３（ｃ）】
2014218881.tif 000011
【図４】
2014218881.tif 000012
【図５】
2014218881.tif 000013
【図６】
2014218881.tif 000014
【図７】
2014218881.tif 000015
【図８】
2014218881.tif 000016